(57)【要約】      （修正有）【課題】腐食や色褪せによる定期的な交換作業が１人でも容易にできる塀垣を提供する。【解決手段】複数の金属製の支柱部１に上下に対向する金属製の横桟部２を架設して方形状のフレーム部３を形成し、このフレーム部３の側方よりスライド挿入するスライド部４に天然素材の遮蔽材５を設けて全面が天然素材で被覆された塀垣形成パネル部６を形成し、この塀垣形成パネル部６を前記フレーム部３に水平移動自在に設けて塀垣を構成する。【選択図】図１
0003156155.tif 000002
【実用新案登録請求の範囲】
【請求項１】
複数の金属製の支柱部に上下に対向する金属製の横桟部を架設して方形状のフレーム部を形成し、このフレーム部の側方よりスライド挿入するスライド部に天然素材の遮蔽材を設けて全面が天然素材で被覆された塀垣形成パネル部を形成し、この塀垣形成パネル部を前記フレーム部に水平移動自在に設けたことを特徴とする塀垣。
【請求項２】
前記複数の金属製の支柱部に上下に対向する凸条レール部を設けた前記金属製の横桟部を架設して前記方形状のフレーム部を形成し、このフレーム部の側方よりスライド挿入する前記凸条レール部に嵌合する凹条溝部を設けた木製の前記スライド部に竹材若しくは木材を設けて全面が天然素材で被覆された前記塀垣形成パネル部を形成し、この塀垣形成パネル部を前記フレーム部に水平移動自在に設けたことを特徴とする請求項１記載の塀垣。
【請求項３】
前記複数の金属製の支柱部に前記凸条レール部を設けた前記金属製の横桟部を複数架設して前記方形状のフレーム部を少なくとも上下方向に二段以上形成し、このフレーム部の側方よりスライド挿入する前記凸条レール部に嵌合する前記凹条溝部を設けた前記木製のスライド部に前記竹材若しくは前記木材を設けて全面が天然素材で被覆された前記塀垣形成パネル部を形成し、この塀垣形成パネル部を前記フレーム部に水平移動自在に設けたことを特徴とする請求項１，２のいずれか１項に記載の塀垣。
【請求項４】
前記塀垣形成パネル部は、少なくとも上下に対向する一対の前記スライド部を設けて、このスライド部に複数の前記竹材若しくは前記木材を鉛直方向若しくは水平方向に並設して形成したことを特徴とする請求項１〜３のいずれか１項に記載の塀垣。
【請求項５】
前記凸条レール部は、前記横桟部に金属板材を突設して一体形成したことを特徴とする請求項１〜４のいずれか１項に記載の塀垣。
【請求項６】
前記塀垣形成パネル部を前記フレーム部に着脱自在に設け、この塀垣形成パネル部とは別に、この塀垣形成パネル部に替えて前記フレーム部に着脱自在に設けることができるパネル掲示部を備えたことを特徴とする請求項１〜５のいずれか１項に記載の塀垣。
【考案の詳細な説明】
【技術分野】
【０００１】
本考案は、視覚的な外部との遮蔽や敷地の境界或いは景観的な目的で家屋や庭などの周囲に立設する天然素材を用いた塀垣に関するものである。
【背景技術】
【０００２】
従来、家屋や庭の周囲には、外部からの視覚を遮蔽したり敷地の境界を示すため、或いは景観的な目的で塀垣を設けることが多い。
【０００３】
この塀垣には様々なタイプのものが存在するが、例えば、和風の家屋や日本庭園風の庭には、多くの場合、竹垣が塀垣として用いられることある。
【０００４】
従来、この竹垣は、木材を支柱として、この木材に真竹や孟宗竹などの天然の竹材を組んだり編んだりして作製していたが、設置が大変であったり、また、天然の竹は年月が経つに連れて竹が色褪せたり腐食してきたりして見栄えの悪いものとなり、また、強風などの強い力が作用すると、腐食した箇所が破損し塀垣が倒壊したり、傾いたりするなどしてしまうので、定期的な交換作業が必要であった。
【０００５】
この交換作業は、一般的には素人が容易にできるような作業ではないため、職人に依頼して作業してもらう場合が多く、この為、作業費を支払わなければならなかった。
【０００６】
そのため、近年では、この厄介な作業を排除し、管理コストを低減するために金属や合成樹脂などの素材で作られた人工竹垣が多く用いられるようになった。
【０００７】
この金属や合成樹脂などの素材で作られた人工竹垣は、施工や設置後の管理の面で天然素材を材料に用いた従来の竹垣と比べ優れた効果を発揮する反面、天然の竹垣がもつ趣を醸し出す点などでどうしても劣ってしまう問題点もあった。
【０００８】
また、竹垣の支柱や胴縁などの枠体を金属性の素材で作製し、この枠体に天然の竹を取り付けた構成の、例えば、特許第２８４１０４２号に示されるような竹垣も考案されている。
【０００９】
このような竹垣は、枠体が金属製であるために、色褪せや腐食がなく、それでいて、天然の竹を用いているので、趣を醸し出すものであった。
【先行技術文献】
【特許文献】
【００１０】
【特許文献１】特許第２８４１０４２号公報
【考案の概要】
【考案が解決しようとする課題】
【００１１】
しかしながら、天然の竹を用いる以上、定期的な交換作業がどうしても必要であり、上述した特許第２８４１０４２号においても、古くなった竹板部材を胴縁から抜き取り、新たな竹板部材を胴縁に差し込む作業を一枚ずつ行わなければならず、交換作業は非常に厄介な作業であった。
【００１２】
そこで本考案は、天然素材と人工素材の夫々の長所を活かし、両者を活用することで天然素材が醸し出す趣を損なわずに、腐食や色褪せによる定期的な交換作業が一人でも容易にできる画期的な塀垣を提供することを目的としている。
【課題を解決するための手段】
【００１３】
添付図面を参照して本考案の要旨を説明する。
【００１４】
複数の金属製の支柱部１に上下に対向する金属製の横桟部２を架設して方形状のフレーム部３を形成し、このフレーム部３の側方よりスライド挿入するスライド部４に天然素材の遮蔽材５を設けて全面が天然素材で被覆された塀垣形成パネル部６を形成し、この塀垣形成パネル部６を前記フレーム部３に水平移動自在に設けたことを特徴とする塀垣に係るものである。
【００１５】
また、前記複数の金属製の支柱部１に上下に対向する凸条レール部７を設けた前記金属製の横桟部２を架設して前記方形状のフレーム部３を形成し、このフレーム部３の側方よりスライド挿入する前記凸条レール部７に嵌合する凹条溝部８を設けた木製の前記スライド部４に竹材５若しくは木材５を設けて全面が天然素材で被覆された前記塀垣形成パネル部６を形成し、この塀垣形成パネル部６を前記フレーム部３に水平移動自在に設けたことを特徴とする請求項１記載の塀垣に係るものである。
【００１６】
また、前記複数の金属製の支柱部１に前記凸条レール部７を設けた前記金属製の横桟部２を複数架設して前記方形状のフレーム部３を少なくとも上下方向に二段以上形成し、このフレーム部３の側方よりスライド挿入する前記凸条レール部７に嵌合する前記凹条溝部８を設けた前記木製のスライド部４に前記竹材５若しくは前記木材５を設けて全面が天然素材で被覆された前記塀垣形成パネル部６を形成し、この塀垣形成パネル部６を前記フレーム部３に水平移動自在に設けたことを特徴とする請求項１，２のいずれか１項に記載の塀垣に係るものである。
【００１７】
また、前記塀垣形成パネル部６は、少なくとも上下に対向する一対の前記スライド部４を設けて、このスライド部４に複数の前記竹材５若しくは前記木材５を鉛直方向若しくは水平方向に並設して形成したことを特徴とする請求項１〜３のいずれか１項に記載の塀垣に係るものである。
【００１８】
また、前記凸条レール部７は、前記横桟部２に金属板材を突設して一体形成したことを特徴とする請求項１〜４のいずれか１項に記載の塀垣に係るものである。
【００１９】
また、前記塀垣形成パネル部６を前記フレーム部３に着脱自在に設け、この塀垣形成パネル部６とは別に、この塀垣形成パネル部６に替えて前記フレーム部３に着脱自在に設けることができるパネル掲示部９を備えたことを特徴とする請求項１〜５のいずれか１項に記載の塀垣に係るものである。
【考案の効果】
【００２０】
本考案は上述のように構成したから、塀垣全体は、見た目は天然素材で構成された趣のある塀垣でありながら、フレーム部は金属製なので腐食や色褪せが殆どなく、また、強度も向上しているので強風により倒壊したりや柱が傾斜したりしてしまうことも起こらず、非常に頑丈なものとなるので、経時に伴う交換作業が不要なものとなる。
【００２１】
また、天然素材の遮蔽材の経時劣化による交換の際にも、塀垣形成パネル部のみをフレーム部より引き出し、新しいものと交換するだけの簡単な交換作業なるので、一人でも容易に交換作業ができる画期的な塀垣となる。
【００２２】
また、請求項２記載の考案においては、スライド部も木材で形成しており、塀垣形成パネル部全体が天然素材で形成されているので、塀垣形成パネル部は使いまわしの部材がなく、予め別の場所で新しい塀垣形成パネル部を作製しておくことができ、交換後も古い塀垣形成パネル部は全て一般の焼却方法で処理できるので、廃棄物として残ることがなく、環境にも配慮した一層優れた塀垣となる。
【００２３】
また、請求項３記載の考案においては、フレーム部が上下に複数段に分割状態となり、このフレーム部に挿入する塀垣形成パネル部の一枚当りの大きさが小さくなり、重さも軽くなるので、交換時のフレーム部への挿入作業が一人でも容易に行うことができる一層優れた塀垣となる。
【００２４】
また、請求項４記載の考案においては、複数の竹材若しくは板材を並設することで、破損時は一枚単位で交換できるので、交換材料が少量で済み、また、竹材若しくは板材間に若干の隙間を形成することができ、風通しが良く、天然素材の腐食をしにくくする効果ももたらし、更に、板状の竹材を鉛直方向に並設することによって建仁寺垣風の塀垣になり、また、棒状の竹材を水平方向に並設することによって御簾垣風の塀垣とすることができ、同一のフレーム部で外観の異なった塀垣にすることもでき、景観的にも飽きのない優れた塀垣となる。
【００２５】
また、請求項５記載の考案においては、凸条レール部の形状を単純にし、作製が容易であると共に、一体形成することで強度も向上し、また、この凸条レール部と嵌合するスライド部の凹条溝部も容易に形成することができるので、交換時の新たな塀垣形成パネル部の作製も容易に可能となる優れた塀垣となる。
【００２６】
また、請求項６記載の考案においては、塀垣の全面若しくは一部の塀垣形成パネル部をパネル掲示部と入れ替え、このパネル掲示部に文字や写真などを描写して商業用看板や掲示板、案内板とすることができるので、より多機能で実用性に優れた塀垣となる。
【図面の簡単な説明】
【００２７】
【図１】本実施例の塀垣形成パネル部を取外したときを示す説明斜視図である。
【図２】本実施例を示す斜視図である。
【図３】本実施例を示す説明側面図である。
【図４】本実施例の横桟部の凸条レール部に塀垣形成パネル部を嵌合した状態を示す説明側面図である。
【図５】本実施例のフレーム部を示す説明斜視図である。
【図６】本実施例の凸条レール部を示す説明斜視図である。
【図７】別実施例の塀垣形成パネル部を取外したときを示す説明斜視図である。
【図８】別実施例を示す斜視図である。
【図９】別実施例を示す説明側面図である。
【図１０】別実施例の横桟部の凸条レール部に塀垣形成パネル部を嵌合した状態を示す説明側面図である。
【図１１】別実施例の塀垣形成パネル部を示す説明分解斜視図である。
【図１２】別実施例のパネル掲示部への入れ替えを示す説明斜視図である。
【考案を実施するための形態】
【００２８】
好適と考える本考案の実施形態（考案をどのように実施するか）を、図面に基づいて本考案の作用を示して簡単に説明する。
【００２９】
本考案は、フレーム部３は金属で形成しながら、塀垣形成パネル部６の全面を天然素材で被覆しているので、あたかも天然素材だけで作られている昔ながらの塀垣のように見え、従って、天然素材で作られた塀垣のように趣のある塀垣となる。
【００３０】
また、塀垣の支柱部１と横桟部２とから成るフレーム部３は、太陽光や雨や風などの自然現象による経時劣化的な腐食や色褪せが殆ど起こらないので、定期的に交換する必要も殆どなく、更に、強度的にも従来の木材などに比べると向上しているので、強風により倒壊したり柱が傾斜したりしてしまうことも起こらず、塀垣としての機能を果たせなくなったり、外観上見苦しいものとなったりせず頑丈で長持ちするものとなる。
【００３１】
また、天然素材の遮蔽材５を設けて形成した塀垣形成パネル部６は、フレーム部３の側方よりスライド挿入し水平移動自在に設けたので、塀垣形成パネル部６が太陽光や雨や風などの自然現象による経時劣化的な腐食や色褪せたりして交換が必要となった場合でも、塀垣形成パネル部６のみをフレーム部３の側方からスライド移動させてフレーム部３より引き出し、新しい塀垣形成パネル部６と入れ替えるだけの簡単な交換作業だけで修復を終えることができる。
【００３２】
しかも、塀垣形成パネル部６はフレーム部３の側方よりスライド挿入して設置するので塀垣形成パネル部６を高い位置まで持ち上げる必要がなく、一人で容易にフレーム部３に取り付けることができるので、従って、一人でも容易に交換作業ができ、また、新しい塀垣形成パネル部６との入れ替えだけの交換作業なので、作業が短時間で行えるので、交換作業時において、塀垣本来の目的の一つである視覚的な外部との遮蔽が損なわれる時間も殆ど生じない画期的な塀垣となる。
【００３３】
しかも、古い塀垣形成パネル部６は、素材の大半が天然素材を用いた構成としているので一般的な焼却方法で処理でき、廃棄物として殆ど残らないので環境にも配慮したものとなっている。
【実施例】
【００３４】
本考案の具体的な実施例について図面に基づいて説明する。
【００３５】
本実施例は、下端部を地面に埋設し立設する複数の金属製の支柱部１と、この支柱部１に架設する複数の金属製の横桟部２とから成る方形状のフレーム部３に、このフレーム部３を後方から補助的に支える複数の補助支柱部10を設けて、このフレーム部３の側方よりスライド挿入する木製のスライド部４に天然素材の遮蔽材５を並設して全面が天然素材で被覆された塀垣形成パネル部６を形成し、この塀垣形成パネル部６をフレーム部３に水平移動自在に設けた塀垣である。
【００３６】
また、本実施例は、支柱部１，横桟部２及び補助支柱部10はアルミ材を用いて形成し、塀垣形成パネル部６を形成するスライド部４及び遮蔽材５については、スライド部４は木材を用いて形成し、遮面材５は天然の竹材５を用いた竹垣を形成している。
【００３７】
尚、本実施例は、遮蔽材５に竹材５を用いて竹垣を形成しているが、竹材５の代わりに木材５を用いた塀垣を形成しても良い。
【００３８】
また、本実施例の具体的な構成及び設置方法について、以下に述べる。
【００３９】
本実施例を家屋や庭の周囲に設置する際には、まず、三本のアルミ製の支柱部１を所定の間隔をあけて下端部を地面に埋設し立設して、この立設状態の支柱部１の上端部と下端部にアルミ製の横桟部２を架設し、更に、この上下端部の中間位置に夫々上端部と下端部とに対となる横桟部２を架設し、合計四本の横桟部２を支柱部１に架設して上下二段に二つずつ、合計四つの方形状のフレーム部３を形成する。
【００４０】
この横桟部２にはアルミ製の板状の凸条レール部７が一体形成しており、支柱部１に架設する際には、上下一対となる横桟部２の凸条レール部７が夫々対面状態となるように、即ち、上側の横桟部２の凸条レール部７は下方に凸設状態となり、下側の横桟部２の凸条レール部７は上方に凸設状態となるように設ける。
【００４１】
この凸条レール部７は、横桟部２の長さ方向の一端部から他端部にかけて帯状に設けられ、更に、間隔をあけて複数のスリット部11が形成されている。
【００４２】
このスリット部11は、横桟部２と後述する木製のスライド部４の凹条溝部８に侵入した雨水を排除し、木製のスライド部４の腐食をしにくくしている。
【００４３】
更に、夫々の支柱部１の上部には、傾斜状態のアルミ製の補助支柱部10を連設して強風などの強い力が前方より作用した場合に横倒することを防止している。
【００４４】
このように地面に下端を埋設し立設状態となった三本の支柱部１に四本の横桟部２を架設し形成した四つのフレーム部３と、これを補助的に支える三本の補助支柱部10は全てアルミ材で形成しているので、従来の竹垣の木材を用いて形成した支柱のように自然現象による経時劣化が少なく、設置後は略メンテナンスフリーとなり、また、強度も向上しており強風などによる強い力が作用してもフレーム部３が倒壊したり、傾斜状態となったりする可能性は殆どないものとなる。
【００４５】
あとは、この四つのフレーム部３に塀垣形成パネル部６を上下夫々のフレーム部３の側方より順次スライド挿入していくことで塀垣が完成する。
【００４６】
尚、本実施例では、フレーム部３を構成する支柱部１，横桟部２，補助支柱部10の設置本数を上述のように設定したが、作製する塀垣の大きさや設置範囲によって、その本数を増減することは適宜可能なものとする。
【００４７】
また、塀垣形成パネル部６は、上下に対向した木製のスライド部４と、このスライド部４に天然の竹材５を設けて構成している。
【００４８】
この木製のスライド部４の長さ方向の一端部から他端部にかけて、横桟部２に設けられた板状の凸条レール部７が嵌合する凹条溝部８が形成されており、この凹条溝部８は凸条レール部７の板幅より稍広めの幅で、溝の深さは凸条レール部７の高さと同じか稍長い直線状の溝で形成している。
【００４９】
また、このスライド部４は、天然素材の竹材５若しくは板材５の遮蔽材５の取付部としての役割と、フレーム部３の凸条レール部７に嵌合し、水平移動自在に移動するスライダーとしての役割との２つの役割がある。
【００５０】
取付部としてのスライド部４への竹材５の取り付けは、本実施例のように竹材５を鉛直方向に設けて形成する、所謂建仁寺垣にするには、上下に対向するスライド部４に板状に形成した竹材５を直接架設し水平方向に並設していくだけで良い。
【００５１】
また、スライド部４に架設する板状に形成した竹材５の長さは、フレーム部３の開口部12の高さと同じ長さに形成している。
【００５２】
また、スライド部４の厚さ方向の幅は、凸条レール部７を設けた横桟部２の厚さ方向の幅よりも薄い幅に形成して、このスライド部４に前述した長さに形成した竹材５を水平方向に並設して塀垣形成パネル部６を形成している。
【００５３】
このように形成した塀垣形成パネル部６は、スライド部４と、このスライド部４に設けた遮蔽材５の両方が凸条レール部７を設けた横桟部２の上面13に当接しながらスライド移動する構成となる。
【００５４】
尚、このように構成した場合は、アルミ製の横桟部２の表面が露出した状態となるので、本実施例では図示していないが、後述する別実施例のようにスライド部４の厚さ方向の幅を、凸条レール部７を設けた横桟部２の厚さ方向の幅と同じ幅に形成して、このスライド部４に鉛直方向に架設し並設する板状の竹材５の長さがフレーム部３の開口部12の高さより長くなってもフレーム部３と干渉しないようにして、横桟部２を被覆する長さに形成することで横桟部２を被覆することができ、金属表面の露出を防止することができ、或いは、竹材５の長さはそのままで、従来の竹垣で建仁寺垣に用いられる押縁のような竹材５を用いて横桟部２を被覆することでも金属表面の露出を防止でき、このように全面を天然素材で形成することによって一層趣のある竹垣となる。
【００５５】
尚、本実施例では建仁寺垣を形成するために、板状の竹材５を用いて、この竹材５を上下に対向するスライド部４に鉛直方向に架設し、これを水平方向に並設した構成としているが、例えば、以下に示すような御簾垣を形成する構成としても良い。
【００５６】
竹材５を水平方向に設けて形成する、所謂御簾垣にするには、細長い棒状の竹材５の両端部を挟持する木製の挟持柱部14に竹材５を架設し鉛直方向に並設して遮蔽部15を形成し、この遮蔽部15をスライド部４に設けるだけで良い。
【００５７】
具体的には、左右に対向する木製の挟持柱部14に棒状の竹材５の端部が嵌合する嵌合凹条部16を夫々設けて、夫々の挟持柱部14の嵌合凹条部16に棒状の竹材５の両端部を嵌合し架設し鉛直方向に並設してこの棒状の竹材５を挟持状態とし、更に、棒状の竹材５を表裏両面から押し挟む押縁部17を設けて遮蔽部15を形成し、これをスライド部４に設けて御簾垣用の塀垣形成パネル部６を形成している。
【００５８】
また、スライド部４の厚さ方向の幅を、凸条レール部７を設けた横桟部２の厚さ方向の幅と同じ幅に形成して、このスライド部４に遮蔽部15を設けて塀垣形成パネル部６を形成している。
【００５９】
このように形成した塀垣形成パネル部６は、スライド部４が横桟部２の凸条レール部７を設けた上面13に当接し、また、このスライド部４より突出状態に設けた遮蔽部15が凸条レール部７を設けた横桟部２の側面18に当接しながらスライド移動する構成となる。
【００６０】
また、このように構成した場合は、アルミ製の横桟部２の表面が遮蔽部15によって被覆された状態となるので、外観上は天然の竹垣と遜色ないものとなる。
【００６１】
また、この塀垣形成パネル部６を構成しているスライド部４は木製であり、また、遮蔽材５は竹材５若しくは木材５であり、遮蔽部15も挟持柱部14は木製であり、この挟持柱部14に架設する遮蔽材５は竹材５若しくは木材５であるので、従って、塀垣形成パネル部６の構成部材全てが天然素材となるので、経時劣化により交換する際は塀垣形成パネル部６全てを交換することとなる。
【００６２】
このように交換時は全てを交換する構成とすることで、予め新しい塀垣形成パネル部６を作製しておき、交換時は古い塀垣形成パネル部６と入れ替えるだけの簡単な作業で交換が済むので、例えば、スライド部４に金属性の素材を用いた場合は、使い回しができる反面、遮蔽材５を交換する際は、一々スライド部４から遮蔽材５を１枚ずつ取外し、また、新しい遮蔽材５を１枚ずつ取り付けるという厄介な作業が生じてしまい、作業時間も長く掛かってしまうので、交換作業時は視覚的な外部との遮断が長時間損なわれてしまうという不具合が生じるが、全てを交換する際はこのような厄介な作業も生じなければ、短時間で交換作業を終えることができるので視覚的な外部との遮断が長時間損なわれてしまうようなこともない。
【００６３】
更に、古い塀垣形成パネル部６を処分する際も、全てが天然素材から成る部材であるので、一般的な焼却で処分でき、廃棄物として残ることがないので、自然環境への影響を配慮した地球にやさしいものとなっている。
【００６４】
また、本実施例は、塀垣形成パネル部６をフレーム部３から取外し、この塀垣形成パネル部６の替わりにフレーム部３に取り付けるパネル掲示部９を備えている。
【００６５】
このパネル掲示部９を、例えば、木製パネル若しくは樹脂製パネルなどで形成し、このパネル面19に文字や写真などを描写したり掲載したりして、例えば、イベント案内や商品広告としての商業用看板を形成したり、地図などの案内板や地域活動のポスターなどを形成してパネル掲示部９をフレーム部３に取り付けるだけで、容易に看板や掲示板となり、単に塀垣としての遮蔽機能だけでなく、より付加価値を有する塀垣となる。
【００６６】
また、例えば、本実施例を歩道に面した場所に設置し、支柱部１やフレーム部３に照明を設けることで、夜間でも看板や掲示板として機能することとなる。
【００６７】
尚、パネル掲示部９は本実施例の設置状況に応じて、片側若しくは両側にパネル面19を設けた構成とすることもできる。
【００６８】
更に、例えば、パネル掲示部９のパネル面19に太陽電池を組込み、太陽の移動に合わせてパネル掲示部９が傾斜する構成として発電機能を有する塀垣としても良い。
【００６９】
尚、本実施例におけるパネル掲示部９はスライド部４にパネル面19を設けた構成としているが、例えば、パネル面19を厚みのある材料を用いて、このパネル面の上面及び下面に凹条溝部８を形成すれば、スライド部４を用いずに、そのままパネル面19をパネル掲示部９としてフレーム部３にスライド挿入し取り付けることができるので、より容易に作成できることとなる。
【００７０】
尚、本考案は、本実施例に限られるものではなく、各構成要件の具体的構成は適宜設計し得るものである。
【符号の説明】
【００７１】
１  支柱部
２  横桟部
３  フレーム部
４  スライド部
５  遮蔽材，竹材，木材
６  塀垣形成パネル部
７  凸条レール部
８  凹条溝部
９  パネル掲示部
【図１】
0003156155.tif 000003
【図２】
0003156155.tif 000004
【図３】
0003156155.tif 000005
【図４】
0003156155.tif 000006
【図５】
0003156155.tif 000007
【図６】
0003156155.tif 000008
【図７】
0003156155.tif 000009
【図８】
0003156155.tif 000010
【図９】
0003156155.tif 000011
【図１０】
0003156155.tif 000012
【図１１】
0003156155.tif 000013
【図１２】
0003156155.tif 000014